(57)【要約】【課題】ダブルトーショナルダンパ部の抑止線の破断に拘わらず、重錘の落下を防止する機構を有する架空電線振動防止装置を提供する。【解決手段】ダブルトーショナルダンパ部２０は、抑止線２２と、抑止線２２の両端に固着された重錘２４と、抑止線２２の中央部に固着された電線把持クランプ２７とを有し、電線把持クランプ２７は、架空電線を把持するクランプ部２８を具備し、重錘受け部１０は、重錘受け皿１２と、重錘受け皿クランプ１５とを有し、ダブルトーショナルダンパ部２０が、クランプ部２８により、架空電線３０に設置され、且つ、重錘受け部１０が、設置されたダブルトーショナルダンパ部２０の抑止線２２の両端に固着された重錘２４の位置に、重錘受け皿クランプ１５により、それぞれ設置されて構成される。【選択図】      図１
2011254566.tif 000002
【特許請求の範囲】
【請求項１】
架空電線の振動を防止するための架空電線振動防止装置であって、
ダブルトーショナルダンパ部は、抑止線と、前記抑止線の両端に固着された重錘と、前記抑止線の中央部に固着された電線把持クランプとを有し、
前記電線把持クランプは、前記架空電線を把持するクランプ部を具備し、
重錘受け部は、重錘受け皿と、重錘受け皿クランプとを有し、
前記ダブルトーショナルダンパ部が、前記クランプ部により、前記架空電線に設置され、且つ、前記重錘受け部が、前記設置されたダブルトーショナルダンパ部の前記抑止線の両端に固着された重錘の位置に対応して、前記重錘受け皿クランプにより、前記架空電線にそれぞれ設置されて構成されることを特徴とする架空電線振動防止装置。
【発明の詳細な説明】
【技術分野】
【０００１】
本発明は、架空電線の振動防止装置に係り、より詳しくは、ダブルトーショナルダンパの抑止線の破断に拘わらず、重錘の落下防止機構を有する架空電線振動防止装置に関する。
【背景技術】
【０００２】
架空電線に風が吹き付けることにより、電線の風下側には交播渦流であるカルマン渦が発生し、振幅が１〜数十ミリメートルの振動が生じる。この振動は、架空電線の固定点となる懸垂支持点や耐張クランプなどの振動の反射点で電線に繰返し応力を与え、架空電線に経時的な金属疲労劣化や破断をもたらす。これを防止するため、架空電線の支持点の近傍には振動防止装置が取付けられる。
【０００３】
図２は、振動防止装置である従来のダブルトーショナルダンパの構成を示すダンパ構成図である。図２において、従来のダブルトーショナルダンパ２００は、抑止線２２、重錘２４、及び電線把持用クランプ２７を有する。重錘２４は、抑止線２２に固着される固着部２６を具備し、抑止線２２の両端に固着されている。電線把持用クランプ２７は、架空電線３０を把持するクランプ部２８と、抑止線２２に固着される抑止線圧縮穴２９とを具備し、抑止線２２の中央部において抑止線圧縮穴２９が圧縮され、抑止線２２と固着し、クランプ部２８により架空電線３０に取付け設置されている。
【０００４】
図２の従来のダブルトーショナルダンパ２００において、風により生じたカルマン渦の振動が、クランプ部２８を介して抑止線２２及び両端の重錘２４に伝わる。これにより、抑止線２２には、新たな振動が発生する。この新たな振動は、カルマン渦による振動とは位相や周期が異なり、カルマン渦による振動を打ち消すように作用し、架空電線２２の経時的な疲労劣化や破断を防止している。
【０００５】
ところが、抑止線２２は、同一の心線と複数の外周線とから成り、複数の外周線が心線の周囲に撚り合わされた構造を成し、カルマン渦による振動を打ち消すように作用する新たな振動が長期間に渡り繰り返し抑止線２２に発生すると、抑止線の心線と複数の外周線とが互いに摩擦し合うことにより金属疲労劣化を生じて破断し、重錘２４が落下するという事故が発生していた。
【０００６】
特許文献１には、クランプ本体のキャップに取付けた落下防止板の左右に設けた挿通穴に所定の長さのワイヤーロープを挿通して折り返し、重錘が２次共振したときの振動の節近傍にアリ溝スリーブによりワイヤーロープの端部を重錘に一括して圧縮固定し、ワイヤーロープは抑止線が共振して過大に振れた場合でもワイヤーロープに張力が作用しないように、少なくとも抑止線の長さより１０〜２０％以上の長さとする、旨の記載がある。
【先行技術文献】
【特許文献】
【０００７】
【特許文献１】特開２００６−２３０１７２号公報
【発明の概要】
【発明が解決しようとする課題】
【０００８】
本発明は、このような問題を解決するためになされたものであり、その目的は、ダブルトーショナルダンパ部の抑止線の破断に拘わらず、重錘の落下を防止する機構を有する架空電線振動防止装置を提供する。
【課題を解決するための手段】
【０００９】
本発明の架空電線振動防止装置は、架空電線の振動を防止するための架空電線振動防止装置であって、ダブルトーショナルダンパ部は、抑止線と、抑止線の両端に固着された重錘と、抑止線の中央部に固着された電線把持クランプとを有し、電線把持クランプは、架空電線を把持するクランプ部を具備し、重錘受け部は、重錘受け皿と、重錘受け皿クランプとを有し、ダブルトーショナルダンパ部が、クランプ部により、架空電線に設置され、且つ、重錘受け部が、設置されたダブルトーショナルダンパ部の抑止線の両端に固着された重錘の位置に対応して、重錘受け皿クランプにより、前記架空電線にそれぞれ設置されて構成されることを特徴とする。
【発明の効果】
【００１０】
本発明によれば、重錘受け部によりダブルトーショナルダンパ部の抑止線の破断に拘わらず、重錘の落下を防止する機構を有する架空電線振動防止装置を提供することができる。
【図面の簡単な説明】
【００１１】
【図１】本発明による架空電線振動防止装置の右側の構成を示す装置構成図。
【図２】従来のダブルトーショナルダンパの構成を示すダンパ構成図。
【発明を実施するための形態】
【実施例】
【００１２】
本発明の実施の形態について、図を用いて説明する。図１は、本発明による架空電線振動防止装置の右側の構成を示す装置構成図であり、左側も同じ構成となっている。図１において、ダブルトーショナルダンパ部２０は、抑止線２２と、抑止線２２の両端に固着された重錘２４と、抑止線２２の中央部に固着された電線把持クランプ２７とを有し、図２において説明した従来のダブルトーショナルダンパ２００と同じであるため、詳細な説明を省略する。重錘受け部１０は、重錘受け皿１２と、重錘受け皿クランプ１５とを有している。
【００１３】
ダブルトーショナルダンパ部２０は、クランプ部２８により、架空電線３０に設置される。また、重錘受け部１０は、設置されたダブルトーショナルダンパ部２０の抑止線２２の両端に固着された重錘２４の位置に対応して、重錘受け皿クランプ１５により、それぞれ左右に設置されて構成される。重錘受け部１０の設置においては、重錘受け皿１２が確実に重錘２４を受け止め、且つ、重錘２４に接触しない所定の位置に設置される。
【００１４】
このように、通常状態では重錘２４と重錘受け皿１２は触れ合わない構成であるため、重錘受け部１０に不要な摩擦による劣化が生じることはなく、重錘受け皿１２は、抑止線２２が経時的な振動により破断して、落下する重錘２４を、確実に受け止めることができる。そして、この受け止めた状態を定期点検時に発見し、ダブルトーショナルダンパ部２０を新たに交換することができる。
【００１５】
またこの構成によると、ダブルトーショナルダンパ部２０は従来のダブルトーショナルダンパ２００を引き続き利用できるため、新たなダブルトーショナルダンパの開発をする必要が無い。また既設物に対しては、重錘受け部１０を追加して設置することで、架空電線の振動防止に対する諸経費の低減が可能となる。また、重錘受け皿１２は、雨水、着雪、着氷の影響を軽減し、且つ、軽量化を図るため、重錘受け皿の一部又は全部をプラスチック製の網状の構造にしてもよい。
【００１６】
以上説明したように本発明によれば、ダブルトーショナルダンパ部の抑止線の破断に拘わらず、重錘受け部により重錘の落下を防止することが可能となり、定期点検時に異常を発見してダブルトーショナルダンパ部を新たに交換することができる架空電線振動防止装置を提供することができる。
【符号の説明】
【００１７】
１０  重錘受け部
１２  重錘受け皿
１５  重錘受け皿クランプ
２０  ダブルトーショナルダンパ部
２２  抑止線
２４  重錘
２６  固着部
２７  電線把持用クランプ
２８  クランプ部
２９  抑止線圧縮穴
３０  架空電線
１００  本発明の架空電線の振動防止装置
２００  従来のダブルトーショナルダンパ
【図１】
2011254566.tif 000003
【図２】
2011254566.tif 000004